(57)【要約】【課題】  簡易な構造で、整圧機能と共に十分な動作精度のリリーフ機能を有し、かつ全長が短く、交換や配管への取り付けを短時間で簡易に済ませることができる整圧器を提供する。【解決手段】  整圧器１は、整圧器本体１１にリリーフ弁部２３を一体的に備えている。整圧器本体１１は筺体１２内に整圧部５とを有している。筺体１２の底板２１には流路１４に連通するように貫通孔２１ａが設けられている。リリーフ弁部２３は底板２１の貫通孔２１ａを通して二次側圧力の異常な上昇を検出することによりリリーフ動作を行う。底板２１を共有してその上下に整圧部１３とリリーフ部２３とが一体化されているので、この整圧器１のガスメータ２に対する面間距離Ｌｉは、従来よりも大幅に短くなる。【選択図】        図２
2005310040.tif 000002
【特許請求の範囲】
【請求項１】
流体流路を流れる流体の整圧動作を行う整圧部と、
前記流体流路を間にして前記整圧部に対向する位置に前記整圧部と一体的に設けられ、前記流体流路を流れる流体の圧力上昇を前記整圧部と実質的に同一位置において検出することによりリリーフ動作を行うリリーフ弁部と
を備えたことを特徴とする整圧器。
【請求項２】
配管に連通した流体流路を有すると共に底面に開口部を有する筺体と、
前記筺体の開口部を塞ぐと共に前記流体流路に対面して貫通孔を有する底板と、
前記筺体に内蔵され、前記流体流路を流れる流体の整圧動作を行う整圧部と、
前記底板の前記整圧部とは反対側に設けられ、前記貫通孔を通して前記流体の圧力上昇を検出することによりリリーフ動作を行うリリーフ弁部と
を備えたことを特徴とする整圧器。
【請求項３】
配管に連通した流体流路を有すると共に底面に開口部を有する筺体と、
前記筺体の開口部を塞ぐと共に前記流体流路に対面して貫通孔を有する底板と、
前記筺体に内蔵され、前記流体流路を流れる流体の整圧動作を行う整圧部と、
前記底板の前記整圧部とは反対側に設けられ、前記貫通孔に連通した導通管と、
前記導通管を通して前記流体の圧力上昇を検出することによりリリーフ動作を行うリリーフ弁部と
を備えたことを特徴とする整圧器。
【請求項４】
前記底板は、前記筺体に対して着脱可能に設けられている
ことを特徴とする請求項１ないし３のいずれか１項に記載の整圧器。
【請求項５】
前記導通管は、前記底板に対して着脱可能に設けられている
ことを特徴とする請求項３記載の整圧器。
【発明の詳細な説明】
【技術分野】
【０００１】
本発明は、都市ガスやＬＰガスなどの流量を計測するためのガスメータの直前に配置されてガスの圧力調節を行うハウスレギュレータのような整圧器に関する。
【背景技術】
【０００２】
都市ガスは一般に、高・中圧導管を経て各地区へと分配され、地区整圧器にて一般ガス供給約款の範囲内の圧力に整圧された後、低圧導管によって末端のユーザまで供給される。他方、近年では、一般ガス供給約款の範囲を超える中間圧で低圧導管以降の下流にまでガスを供給し、各ユーザの建物または各戸に取り付けられたハウスレギュレータ（以下、ＨＲと略称する）によって一般ガス供給約款の範囲内にまでガスの圧力を減じるという供給システムが注目されている。
【０００３】
ＨＲのようなガス工作物の技術上の基準を定める省令によれば、ＨＲにはガバナの故障等による圧力の異常な上昇を防止するための圧力上昇防止装置（中間圧供給方式の場合には、リリーフ弁（例えば、特許文献１）または圧力上昇防止遮断弁）の設置が義務付けられている。
【特許文献１】特開２０００−１７０９３４号公報
【０００４】
これを受けて、従来のＨＲでは、
（Ａ）メインダイヤフラムの筺体内にリリーフ弁を収容した方式
（Ｂ）ＨＲの下流側にリリーフ弁を別体で設置する方式
などが採用されていた。
【発明の開示】
【発明が解決しようとする課題】
【０００５】
上記（Ａ）の方式のＨＲは、図６に示したように、筺体１０１の内部にダイヤフラム１０２を備え、このダイヤフラム１０２が二次圧に応じて整圧スプリング１０４を持ち上げ、これに連動して主弁（メインバルブ）１０３により隔壁１０５の開口部１０５ａの開度を調整、すなわち整圧動作が行われる。ダイヤフラム１０２には開口部１０２ａが設けられ、この開口部１０２ａには安全スプリング１０６を介して安全弁（リリーフ弁）１０７が設けられている。
【０００６】
このＨＲでは、上流側から供給される都市ガスの整圧動作が上述のようにダイヤフラム１０２に連動した主弁１０３によって行われる。ガス使用時に、二次圧力によりダイヤフラムを押し上げ、主弁が閉まった状態の時に、何らかの要因で二次圧力が異常に高くなると、ダイヤフラム１０２が整圧スプリング１０４および安全スプリング１０６をさらに押し上げる。これにより安全弁１０７が開き、そのときの異常に高い圧力のガスＧを筺体１０１に設けられた放散管１０８から管外へと放出する。これにより、二次圧力を、安全弁作動圧以上に上昇しないように保つことができる。
【０００７】
しかしながら、この方式では、ダイヤフラム１０２が内蔵された狭い筺体１０１内にさらに複雑な構造で高精度なリリーフ弁部を内蔵することが困難であるため、リリーフ弁の動作精度をある程度犠牲にせざるを得ないという問題がある。誤動作を防止するには、リリーフ作動圧力を高めに設定すればよいが、これではリリーフ弁の動作を高精度なものとすることはできない。また、この方式では、ダイヤフラム１０２に安全スプリング１０６および安全弁１０７が取り付けられているため、動作に不具合が生じた場合に、ダイヤフラム１０２および安全弁１０７のいずれの故障であるかの判断が困難である。
【０００８】
一方、上記（Ｂ）の方式は、図７に示したように、ＨＲ２０１とリリーフ弁２０２とを配管方向に直列に配置してユニット構成とするものである。この方式であれば、リリーフ弁２０２の動作精度を十分なものとし、また、リリーフ作動圧力も所望の値に設定して安定させることができるが、その反面、下記のような問題が残る。
【０００９】
（１）リリーフ弁２０２はＨＲ２０１とは別に、ＨＲ２０１とガスメータ２０３との間に介挿されることになるので、そのＨＲ２０１とリリーフ弁２０２とからなるユニット２０４の全長Ｌｐが大きくなる。しかし、都市ガスやＬＰガスのガスメータは一般に、スペースに余裕のない狭隘な場所に設けられることが多い。そのため、ＨＲ２０１とリリーフ弁２０２とからなる長いユニット２０４を狭隘なスペース内に収めることができなくなるなど、設置環境上の制約が大きくなる。
（２）リリーフ弁２０２を有さなくて面間が短いタイプのＨＲ配管ユニットを、上記のＨＲ２０１とリリーフ弁２０２とからなる長いユニット２０４に交換しようとすると、上記設置環境上の制約から不可能となる場合が多い。
（３）リリーフ弁２０２の交換時や追加時の作業工程が煩雑なものとなり、また、その作業工程に時間が掛かる。その結果、作業コストが高額化すると共に、作業性が低下するので、作業中でのヒューマンエラー等に起因した設置ミスなどを誘発する虞がある。
（４）ＨＲ２０１本体とリリーフ弁２０２とを個別に管理することになるため、それらの各々についての在庫管理や梱包・輸送など、取扱上の手間が煩雑なものとなる。
【００１０】
本発明はかかる問題点に鑑みてなされたもので、その目的は、簡易な構造で、整圧機能と共に十分な動作精度のリリーフ機能を有し、かつ面間が短く、交換や配管への取り付けを短時間で簡易に済ませることができる整圧器を提供することにある。
【課題を解決するための手段】
【００１１】
本発明の整圧器は、流体流路を流れる流体の整圧動作を行う整圧部と、前記流体流路を間にして前記整圧部に対向する位置に前記整圧部と一体的に設けられ、前記流体流路を流れる流体の圧力上昇を前記整圧部と実質的に同一位置において検出することによりリリーフ動作を行うリリーフ弁部とを備えたものである。
【００１２】
より具体的な第１の態様としては、配管に連通した流体流路を有すると共に底面に開口部を有する筺体と、前記筺体の開口部を塞ぐと共に前記流体流路に対面して貫通孔を有する底板と、前記筺体に内蔵され、前記流体流路を流れる流体の整圧動作を行う整圧部と、前記底板の前記整圧部とは反対側に設けられ、前記貫通孔を通して前記流体の圧力上昇を検出することによりリリーフ動作を行うリリーフ弁部とを備えた構成を有する。
【００１３】
第２の態様としては、配管に連通した流体流路を有すると共に底面に開口部を有する筺体と、前記筺体の開口部を塞ぐと共に前記流体流路に対面して貫通孔を有する底板と、前記筺体に内蔵され、前記流体流路を流れる流体の整圧動作を行う整圧部と、前記底板の前記整圧部とは反対側に設けられ、前記貫通孔に連通した導通管と、前記導通管を通して前記流体の圧力上昇を検出することによりリリーフ動作を行うリリーフ弁部とを備えた構成を有している。
【００１４】
本発明の整圧器では、第１および第２の態様ともに、底板を間にして整圧部とリリーフ弁部が一体的に設けられており、配管中の同じ位置において、整圧部により配管内を流れる流体の整圧動作が行われる一方、リリーフ弁部によって流体の異常圧力の発生が検知されリリーフ動作が行われる。なお、第１の態様では、底板を筺体に対して着脱可能に設けるようにすれば、リリーフ弁部が底板と共に筺体に対して着脱自在となり、その交換等が容易になる。また、第２の態様では、導通管を底板に対して着脱可能に設けるようにすれば、リリーフ弁部が導通管と共に底板に対して着脱自在となり、その交換等が容易になる。
【発明の効果】
【００１５】
本発明の整圧器によれば、流体流路を間にして整圧部とリリーフ弁部を一体的に設け、１のユニットで整圧機能とリリーフ機能とを持たせるようにしたので、簡易な構造でユニットの全長が短くなり、交換や配管への取り付けの手間が掛からず、かつ十分な動作精度を確保することができる。
【発明を実施するための最良の形態】
【００１６】
以下、本発明の実施の形態について図面を参照して詳細に説明する。
〔第１の実施の形態〕
図１および図２は、本発明の第１の実施の形態に係る整圧器１の構成を表すものであり、図１はガスメータ２の近傍に配置された整圧器１の概要構成、図２はこの整圧器１の内部構成を模式的に表したものである。この整圧器１はガスメータ２の上流側において整圧動作を行うと共に、二次側の圧力が異常に上昇した場合にその圧力を開放してリリーフ動作を行うものであり、ＨＲ（ハウスレギュレータ）兼リリーフ弁として用いられる。
【００１７】
整圧器本体１１は、図２に示したように、筺体１２の内部に整圧部１３を収容したものである。筺体１２の内部には配管３（図１）に連通した流路１４が設けられると共に整圧室１５が設けられている。流路１４は、隔壁１６により一次側（上流側）と二次側（下流側）とに仕切られており、その隔壁１６には開口部（弁孔）１６ａが設けられている。整圧室１５は連通路１７を介して流路１４の二次側と連通しており、その内部はダイヤフラム１８により大気室１５Ａとガス室１５Ｂとに分離されている。大気室１５Ａでは二次圧設定用スプリング１９の一方の端部が筺体１２の頂部に固定され、この二次圧設定用スプリング１９の他方の端部がダイヤフラム１８に取り付けられている。ダイヤフラム１８には流路１４において整圧用弁体２０が連動するようになっている。すなわち、二次側のガス圧の大きさに応じてこのダイヤフラム１８が変位し、これに連動して整圧用弁体２０により隔壁１６の開口部１６ａの開度が調整、すなわち、流れるガスＧの整圧がなされるようになっている。以上のダイヤフラム１８、二次圧設定用スプリング１９および整圧用弁体２０によって上記整圧部１３が構成されている。
【００１８】
筺体１２の底部は開口されており、その開口部には底板２１がビス２２ａ，２２ｂによって所謂ビス止めされている。底板２１には図３に取り出して示したように、流路１４に通ずる貫通孔２１ａが設けられている。
【００１９】
上記リリーフ動作を行うリリーフ部２３は、この底板２１の背面側に、その底板２１を自らの筺体２４の構成部位の一部として共有して設けられている。このリリーフ部２３の筺体２４内には、例えばダイヤフラム方式のリリーフ弁機構が内蔵されている。すなわち、筺体２４内はダイヤフラム２５により大気室２４Ａとガス室２４Ｂとに分離されると共に、隔壁２６によりガス室２４Ｂと大気室２４Ｃとに分離されている。隔壁２６には開口部（弁孔）２６ａが設けられており、常時はリリーフ用の弁体２８により閉鎖されている。
【００２０】
大気室２４Ａではリリーフ圧設定用スプリング２７の一方の端部が筺体２４の底部に固定され、このリリーフ圧設定用スプリング２７の他方の端部がダイヤフラム２５に取り付けられている。ダイヤフラム２５には弁体２８が連動するようになっている。すなわち、二次側のガス圧が異常に上昇した場合には、ダイヤフラム２５と共に弁体２８がリリーフ圧設定用スプリング２７の設定圧に抗して下降し、これにより隔壁２６の開口部２６ａが開放され、異常なガス圧が大気室２４Ｃから放散管２９を通じて放散されるようになっている。以上の筺体２４内のダイヤフラム２５、リリーフ圧設定用スプリング２７および弁体２８によってリリーフ部２３が構成されている。
【００２１】
次に、本実施の形態の整圧器１の作用・効果について説明する。
【００２２】
この整圧器１では、上述のようにダイヤフラム１８、二次圧設定用スプリング１９および整圧用弁体２０によって構成される整圧部１３によって上流側から供給されるガスＧの整圧動作がなされると共に、何らかの要因で二次圧力が異常に高くなった場合にはリリーフ動作が行われる。すなわち、リリーフ部２３において、ダイヤフラム２５がリリーフ圧設定用スプリング２７を押し下げ、その動きに連動して弁体２８が下降し、隔壁２６の開口部２６ａが開放される。その結果、異常なガス圧が開口部２６ａ、大気室２４Ｃから放散管２９を通じて放散される。これにより、二次側圧力が設定値以上に上昇しないように保たれる。
【００２３】
このように本実施の形態では、底板２１を共有してその上下に整圧部１３とリリーフ部２３とを一体的に備えているので、この整圧器１のガスメータ２に対する面間距離Ｌｉは、従来のＨＲとリリーフ弁とを配管方向に直列してなるユニットの面間距離Ｌｐ（図７参照）よりも大幅に短くなる。従って、ガスメータ２の設置場所にスペースが狭いなどの設置条件に制約があったとしても、整圧器１を容易に設置することができ、その自由度が高くなる。また、整圧器１全体が小型な（短い）ものとなっているので、その取り扱いや搬送等が容易になるという利点もある。
【００２４】
また、リリーフ弁部２３は、整圧器本体１１の筺体１２に内蔵されて一体化されているのではなく、筺体１２とは別個の筺体２４に覆われた状態で底板２１を介して整圧器本体１１と一体化されているので、従来の内蔵方式（図６参照）の場合のような、筺体１２内の限られたスペースに収容しなければならないという制約を受けなくて済む。
【００２５】
また、リリーフ弁部２３は狭い筺体１２内に追加しなくてもよいので、リリーフ弁部２３の動作精度を、少なくとも別付け方式と同程度にまで高いものとすることができる。あるいは、この整圧器１では、整圧部１３とリリーフ弁部２３とが底板２１を共有してほぼ同位置でガスの圧力に対応した動作を行うことになるので、整圧器本体とリリーフ弁部とを別付けで直列的に配置した従来の構成の場合（図７）よりも、両者がさらに高精度な信頼性の高い動作を実現することも期待される。
【００２６】
本実施の形態では、また、図１に示したように、筺体１２に設けられたタップ３０ａ，３０ｂに対してビス２２ａ，２２ｂを捩じ込んで底板２１を筺体１２に固定することによって、底板２１と共にリリーフ弁部２３を整圧器本体１１に取り付けることができる。あるいは逆に、ビス２２ａ，２２ｂを緩めることによって、底板２１をリリーフ弁部２３と共に整圧器本体１１の筺体１２から取り外すこともでき、よって故障修理作業等が容易になる。
【００２７】
〔第２の実施の形態〕
図５は、本発明の第２の実施の形態に係る整圧器４が設置されたガスメータ近傍の概要構成を表したものである。
【００２８】
この整圧器４は、上記第１の実施の形態と同様に、整圧器本体１１と、リリーフ弁部２３とを備えているが、リリーフ弁部２３が圧力の導通を行うための導通管３２を介して底板２１に取り付けられている点において第１の実施の形態と異なる。すなわち、この整圧器４では、整圧器本体１１の底板２１の背面に、導通管３２を介してリリーフ弁部２３が縦に起立した状態で設けられており、整圧器本体１１で整圧を行い、リリーフ弁部２３でリリーフ動作を行う。その動作は、導通管３２を通じて二次側の圧力を検出すること以外は、第１の実施の形態と同様であるので、その説明は省略する。
【００２９】
導通管３２は、底板２１に対して着脱可能に設けられている。具体的には、底板２１には捩じ込み用のタップ（図示省略）が刻まれていて、そのタップに対して導通管３２の表面に刻まれた捩子山を捩じ込むことで、導通管３２が底板２１に組み付けられる。底板２１は、第１の実施の形態と同様に、整圧器本体１１の筺体１２にねじ止めされる。このような構成により、リリーフ弁部２３を整圧器本体１１の底板２１に対して着脱することが可能となる。
【００３０】
このような第２の実施の形態の整圧器４でも、上記第１の実施の形態と同様に、底板２１を共有してその上下に整圧器本体１１とリリーフ弁部２３とを一体化させているので、この整圧器４の面間距離Ｌｉを大幅に短くできる、等の効果は第１の実施の形態と同様である。
【００３１】
なお、上記第１および第２の実施の形態では、本発明に係る整圧器を都市ガスの整圧に用いる場合を想定して説明したが、本発明の適用は都市ガスのみには限定されないことは勿論である。この他にも、例えばＬＰガス用の整圧器としても適用可能であり、更にガスに限らず、流体一般の整圧に利用することも可能である。その他、本発明の趣旨を逸脱しない範囲で種々の変形が可能であることは言うまでもない。
【図面の簡単な説明】
【００３２】
【図１】本発明の第１の実施の形態に係る整圧器が設置されたガスメータ近傍の概要構成を表した正面図である。
【図２】図１に示した整圧器の内部構成を表す模式図である。
【図３】図１に示した整圧器の低板の構成を表す平面図である。
【図４】本発明の第２の実施の形態に係る整圧器が設置されたガスメータ近傍の概要構成を表した正面図である。
【図５】従来のリリーフ弁を備えた整圧器の内部構成を説明するための模式図である。
【図６】ＨＲとリリーフ弁とを配管方向に直列配置してなる従来のユニット構成の一例を表した正面図である。
【符号の説明】
【００３３】
１…整圧器、２…ガスメータ、３…配管、１１…整圧器本体、１２，２４…筺体、
１３…整圧部、１４…流路、２１…底板、２１ａ…貫通孔、２３…リリーフ弁部
【図１】
2005310040.tif 000003
【図２】
2005310040.tif 000004
【図３】
2005310040.tif 000005
【図４】
2005310040.tif 000006
【図５】
2005310040.tif 000007
【図６】
2005310040.tif 000008